【手続補正書】
【提出日】平成23年12月1日(2011.12.1)
【手続補正１】
【補正対象書類名】特許請求の範囲
【補正対象項目名】全文
【補正方法】変更
【補正の内容】
【特許請求の範囲】
【請求項１】
キャパシティブインピーダンスコンポネント、誘導性インピーダンスコンポネント或いは抵抗性インピーダンスコンポネントによって、第一インピーダンスを構成し、
キャパシティブインピーダンスコンポネント、誘導性インピーダンスコンポネント或いは抵抗性インピーダンスコンポネントによって、第二インピーダンスを構成し、
前記第一インピーダンスと前記第二インピーダンスとを直列接続したその両端に、固定或いは可変電圧及び固定或いは可変周波数の交流電気エネルギーを入力し、或いは、直流電源から転換される固定或いは可変電圧及び固定或いは可変周波数或いは周期の二方向性正弦波電圧、二方向性方波電圧、或いは二方向性脈動波形の電圧の交流電気エネルギーを入力し、或いは、交流電気エネルギーを整流した直流電気エネルギーを再転換した固定或いは可変電圧及び固定或いは可変周波数或いは周期の二方向性正弦波電圧、二方向性方波電圧、或いは二方向性脈動波形の電圧の交流電気エネルギーを入力し、
直列接続する前記第一インピーダンス及び前記第二インピーダンスを通して、入力する電源電圧を分圧し、分圧の電気エネルギーを整流装置へ伝送し、
発光ダイオードによって一方向性導電発光ダイオードセットを構成し、前記整流装置の直流出力端に並列接続し、前記整流装置から出力する直流電気エネルギーによって駆動かつ発光し、
前記第一インピーダンス、前記第二インピーダンス、前記整流装置、前記一方向性導電発光ダイオードセット、前記発光ダイオード及び上記に選択した各項の補助性回路コンポネントは、必要に応じて設置するかしないかの選択が可能であり、設置数量は一個或いは一個以上によって構成され、一個以上を選択する場合、応用時の回路機能の必要に応じて、相対極性関係を選定し、直列、並列または直並列に接続し、その特徴は、
ＬＥＤ一方向性駆動回路（Ｕ１００）において、更に前記発光ダイオード（ＬＥＤ１０１）に充放電可能装置（ＥＳＤ１０１）を設置し、前記充放電可能装置（ＥＳＤ１０１）はアットランダムに充電或いは電気エネルギーを釈放することによって、前記発光ダイオード（ＬＥＤ１０１）の発光安定度を安定させ、明度の脈動を減少させ、或いは断電時、前記充放電可能装置（ＥＳＤ１０１）より貯蔵した電気エネルギーを出力することより、前記充放電可能装置（ＥＳＤ１０１）を駆動し、持続発光させ、
更に前記一方向性導電発光ダイオードセット（Ｌ１００）を前記充放電可能装置（ＥＳＤ１０１）と接続し、前記発光ダイオード（ＬＥＤ１０１）と前記限流抵抗（Ｒ１０３）とを直列接続後の両端、或いは直接前記発光ダイオード（ＬＥＤ１０１）の両端に、極性に従って前記充放電可能装置（ＥＳＤ１０１）を並列接続し、前記充放電可能装置（ＥＳＤ１０１）はアットランダムに充電或いは電気エネルギーを放出することによって、前記発光ダイオード（ＬＥＤ１０１）の発光安定度を安定させ、断電時、充放電可能装置（ＥＳＤ１０１）より貯蔵した電気エネルギーを出力することより、発光ダイオード（ＬＥＤ１０１）を駆動して持続発光させ、
前記充放電可能装置（ＥＳＤ１０１）は、各種のよく使われる充放電可能な電池、超コンデンサまたはコンデンサによって構成されることを特徴とする二方向性電気エネルギーインピーダンス分圧によるＬＥＤ一方向性駆動回路。
【請求項２】
ＬＥＤ一方向性駆動回路（Ｕ１００）の中に充放電可能装置（ＥＳＤ１０１）を設けた場合、前記一方向性導電発光ダイオードセット（Ｌ１００）の中の前記発光ダイオード（ＬＥＤ１０１）を駆動し、連続直流によって通電発光することを特徴とする請求項１に記載の二方向性電気エネルギーインピーダンス分圧によるＬＥＤ一方向性駆動回路。
【請求項３】
更に一方向性導電発光ダイオードセットＬ１００を蓄放電可能装置ＥＳＤ１０１と接続し、発光ダイオードＬＥＤ１０１と限流抵抗Ｒ１０３を直列接続後の両端、極性に従って充放電可能装置ＥＳＤ１０１を並列接続し、
充放電可能装置ＥＳＤ１０１は、アットランダムに充電或いは電気エネルギーを放出することによって、発光ダイオードＬＥＤ１０１の発光安定度を安定させ、断電時、充放電可能装置ＥＳＤ１０１より貯蔵した電気エネルギーを出力することより、発光ダイオードＬＥＤ１０１を駆動して持続発光させることを特徴とする請求項１に記載の二方向性電気エネルギーインピーダンス分圧によるＬＥＤ一方向性駆動回路。
【請求項４】
更に一方向性導電発光ダイオードセットＬ１００を蓄放電可能装置ＥＳＤ１０１と接続し、直接に発光ダイオードＬＥＤ１０１の両端に、極性に従って充放電可能装置ＥＳＤ１０１を並列接続し、
充放電可能装置ＥＳＤ１０１は、アットランダムに充電或いは電気エネルギーを放出することによって、発光ダイオードＬＥＤ１０１の発光安定度を安定させ、断電時、充放電可能装置ＥＳＤ１０１より貯蔵した電気エネルギーを出力することより、発光ダイオードＬＥＤ１０１を駆動して持続発光させることを特徴とする請求項１に記載の二方向性電気エネルギーインピーダンス分圧によるＬＥＤ一方向性駆動回路。
【請求項５】
前記単巻変圧器の単巻変圧の電源側巻線、前記第二インピーダンスの中の前記誘導性インピーダンスコンポネントを取り替えることによって、昇圧回路を構成し、
その中の単巻変圧器（ＳＴ２００）の昇圧機能を持つ単巻変圧巻線（Ｗ０）において、前記単巻変圧器（ＳＴ２００）の前記単巻変圧巻線（Ｗ０）のｂ、ｃ端を電源側とし、前記第二インピーダンス（Ｚ１０２）の中の前記誘導性インピーダンスコンポネント（Ｉ２００）を取り替えることによって、前記第二インピーダンス（Ｚ１０２）を構成し、前記第一インピーダンス（Ｚ１０１）の第一コンデンサー（Ｃ１００）と直列接続した固有直列共振周波数は、電源からの二方向性電気エネルギー、例えば交流電気エネルギーの周波数、或いは直流電気エネルギーから転換される固定或いは可変電圧及び固定或いは可変交換極性周期の電気エネルギーの交換極性周期と同じで、かつ直列共振状態を形成し、前記単巻変圧器（ＳＴ２００）の前記単巻変圧巻線（Ｗ０）のａ、ｃ出力端から昇圧交流の電気エネルギーを出力し、前記整流装置（ＢＲ１０１）の交流入力端へ出力し、かつ前記整流装置（ＢＲ１０１）の直流出力端によって、前記一方向性導電発光ダイオードセット（Ｌ１００）を駆動することを特徴とする請求項１に記載の二方向性電気エネルギーインピーダンス分圧によるＬＥＤ一方向性駆動回路。
【請求項６】
前記単巻変圧器の単巻変圧の電源側巻線、前記第二インピーダンスの中の前記誘導性インピーダンスコンポネントを取り替えることによって、降圧回路を構成し、
その中の単巻変圧器（ＳＴ２００）の降圧機能を持つ単巻変圧巻線（Ｗ０）において、前記単巻変圧器（ＳＴ２００）の前記単巻変圧巻線（Ｗ０）のａ、ｃ端を電源側とし、前記第二インピーダンス（Ｚ１０２）の中の前記誘導性インピーダンスコンポネント（Ｉ２００）を取り替えることによって、前記第二インピーダンス（Ｚ１０２）を構成し、前記第一インピーダンス（Ｚ１０１）の第一コンデンサー（Ｃ１００）と直列接続した固有直列共振周波数は、電源からの二方向性電気エネルギー、例えば交流電気エネルギーの周波数、或いは直流電気エネルギーから転換される固定或いは可変電圧及び固定或いは可変交換極性周期の電気エネルギーの交換極性周期と同じで、かつ直列共振状態を形成し、前記単巻変圧器（ＳＴ２００）の前記単巻変圧巻線（Ｗ０）のｂ、ｃ出力端から降圧交流の電気エネルギーを出力し、前記整流装置（ＢＲ１０１）の交流入力端へ出力し、かつ前記整流装置（ＢＲ１０１）の直流出力端によって、前記一方向性導電発光ダイオードセット（Ｌ１００）を駆動することを特徴とする請求項１に記載の二方向性電気エネルギーインピーダンス分圧によるＬＥＤ一方向性駆動回路。
【請求項７】
分離式変圧巻線を持つ前記分離式変圧器の一次巻線、前記第二インピーダンスの中の前記誘導性インピーダンスコンポネントを取り替えることによって、
その中の分離式変圧器（ＩＴ２００）は、一次巻線（Ｗ１）及び二次巻線（Ｗ２）によって構成され、前記一次巻線（Ｗ１）と前記二次巻線（Ｗ２）との二者が分離され、前記一次巻線（Ｗ１）によって前記第二インピーダンス（Ｚ１０２）を構成し、前記第一インピーダンス（Ｚ１０１）の第一コンデンサー（Ｃ１００）と直列接続した固有直列共振周波数は、電源からの二方向性電気エネルギー、例えば交流電気エネルギーの周波数、或いは直流電気エネルギーによって転換される固定或いは可変電圧及び固定或いは可変交換極性周期の電気エネルギーの交換極性周期と同じで、かつ直列共振状態を形成し、前記分離式変圧器（ＩＴ２００）の前記二次巻線（Ｗ２）の出力電圧は、必要に応じて昇圧或いは降圧の選択が可能で、二次巻線出力の交流電気エネルギーは、前記整流装置（ＢＲ１０１）の交流入力端へ出力し、前記整流装置（ＢＲ１０１）の直流出力端は、前記一方向性導電発光ダイオードセット（Ｌ１００）へ出力し、
上述を通して、変圧器の電源巻線によって前記第二インピーダンス（Ｚ１０２）の中の前記誘導性インピーダンスコンポネント（Ｉ２００）を取換え、かつ前記分離式変圧器（ＩＴ２００）の二次側昇圧出力の交流電圧或いは降圧出力の交流の電気エネルギーを前記整流装置（ＢＲ１０１）の交流入力端へ伝送してから、前記整流装置（ＢＲ１０１）の出力端から直流電気エネルギーを出力することによって、前記一方向性導電発光ダイオードセット（Ｌ１００）を駆動することを特徴とする請求項１に記載の二方向性電気エネルギーインピーダンス分圧によるＬＥＤ一方向性駆動回路。
【請求項８】
前記単巻変圧器の単巻変圧の電源側巻線、第三コンデンサーと並列に接続する並列共振を通して、昇圧回路を構成し、
その中の単巻変圧器（ＳＴ２００）の昇圧機能を持つ単巻変圧巻線（Ｗ０）において、前記単巻変圧器（ＳＴ２００）の前記単巻変圧巻線（Ｗ０）のｂ、ｃ端を電源側とし、前記第二インピーダンス（Ｚ１０２）の中の前記誘導性インピーダンスコンポネント（Ｉ２００）を取り替えることによって、第三コンデンサー（Ｃ２００）と並列に接続し、並列接続後の固有並列共振周波数は、電源からの二方向性電気エネルギー、例えば交流電気エネルギーの周波数、或いは直流電気エネルギーによって転換される固定或いは可変電圧及び固定或いは可変交換極性周期の電気エネルギーの交換極性周期と同じで、かつ並列共振状態を形成することによって、前記第二インピーダンス（Ｚ１０２）を構成し、前記第一インピーダンス（Ｚ１０１）を構成する第一コンデンサー（Ｃ１００）と直列に接続し、
前記第三コンデンサー（Ｃ２００）は前記単巻変圧器（ＳＴ２００）のタップのａ、ｃ間或いはｂ、ｃ間或いは必要に応じてほかのタップ間での並列接続の選択が可能で、前記単巻変圧器（ＳＴ２００）の前記単巻変圧巻線（Ｗ０）のａ、ｃ出力端から昇圧交流の電気エネルギーを出力し、前記整流装置（ＢＲ１０１）の交流入力端へ出力し、かつ前記整流装置（ＢＲ１０１）の直流出力端によって、前記一方向性導電発光ダイオードセット（Ｌ１００）を駆動することを特徴とする請求項１に記載の二方向性電気エネルギーインピーダンス分圧によるＬＥＤ一方向性駆動回路。
【請求項９】
前記単巻変圧器の単巻変圧の電源側巻線、第三コンデンサーと並列に接続する並列共振を通して、降圧回路を構成し、
その中の単巻変圧器（ＳＴ２００）の降圧機能を持つ単巻変圧巻線（Ｗ０）において、前記単巻変圧器（ＳＴ２００）の前記単巻変圧巻線（Ｗ０）のａ、ｃ端を電源側とし、前記第二インピーダンス（Ｚ１０２）の中の前記誘導性インピーダンスコンポネント（Ｉ２００）を取り替えることによって、第三コンデンサー（Ｃ２００）と並列に接続し、並列接続後の固有並列共振周波数は、電源からの二方向性電気エネルギー、例えば交流電気エネルギーの周波数、或いは直流電気エネルギーによって転換される固定或いは可変電圧及び固定或いは可変交換極性周期の電気エネルギーの交換極性周期と同じで、かつ並列共振状態を形成することによって、前記第二インピーダンス（Ｚ１０２）を構成し、前記第一インピーダンス（Ｚ１０１）を構成する第一コンデンサー（Ｃ１００）と直列に接続し、
前記第三コンデンサー（Ｃ２００）は前記単巻変圧器（ＳＴ２００）のタップのａ、ｃ間或いはｂ、ｃ間或いは必要に応じてほかのタップ間での並列接続の選択が可能で、前記単巻変圧器（ＳＴ２００）の前記単巻変圧巻線（Ｗ０）のｂ、ｃ出力端から降圧交流の電気エネルギーを出力し、前記整流装置（ＢＲ１０１）の交流入力端へ出力し、かつ前記整流装置（ＢＲ１０１）の直流出力端によって、前記一方向性導電発光ダイオードセット（Ｌ１００）を駆動することを特徴とする請求項１に記載の二方向性電気エネルギーインピーダンス分圧によるＬＥＤ一方向性駆動回路。
【請求項１０】
分離式変圧巻線を持つ前記分離式変圧器の一次巻線、第三コンデンサーと並列に接続する並列共振を通の回路し、
その中の分離式変圧器（ＩＴ２００）は、一次巻線（Ｗ１）及び二次巻線（Ｗ２）によって構成され、前記一次巻線（Ｗ１）と前記二次巻線（Ｗ２）との二者が分離され、
前記一次巻線（Ｗ１）は第三コンデンサー（Ｃ２００）と並列に接続し、並列接続後の固有並列共振周波数は、電源からの二方向性電気エネルギー、例えば交流電気エネルギーの周波数、或いは直流電気エネルギーによって転換される固定或いは可変電圧及び固定或いは可変交換極性周期の電気エネルギーの交換極性周期と同じで、かつ並列共振状態を形成することによって、前記第二インピーダンス（Ｚ１０２）を構成してから、前記第一インピーダンス（Ｚ１０１）を構成する第一コンデンサー（Ｃ１００）と直列に接続し、
前記第三コンデンサー（Ｃ２００）は前記単巻変圧器（ＳＴ２００）のタップのａ、ｃ間或いはｂ、ｃ間或いは必要に応じてほかのタップ間での並列接続の選択が可能であり、
前記分離式変圧器（ＩＴ２００）の前記二次巻線（Ｗ２）の出力電圧は、必要に応じて昇圧或いは降圧の選択が可能で、二次巻線出力の交流電気エネルギーは、前記整流装置（ＢＲ１０１）の交流入力端へ出力し、前記整流装置（ＢＲ１０１）の直流出力端は、一方向性導電発光ダイオードセット（Ｌ１００）へ出力し、
前記変圧器の電源巻線によって前記第二インピーダンス（Ｚ１０２）中の前記誘導性インピーダンスコンポネント（Ｉ２００）を取り替え、前記第三コンデンサー（Ｃ２００）と並列に接続する並列共振を通して、前記第二インピーダンス（Ｚ１０２）を構成し、また前記分離式変圧器（ＩＴ２００）の二次側昇圧出力する交流電圧或いは降圧出力する交流の電気エネルギーは、前記整流装置（ＢＲ１０１）の交流入力端へ出力してから、前記整流装置（ＢＲ１０１）の出力端から直流の電気エネルギーを出力することによって、一方向性導電発光ダイオードセット（Ｌ１００）を駆動することを特徴とする請求項１に記載の二方向性電気エネルギーインピーダンス分圧によるＬＥＤ一方向性駆動回路。
【手続補正２】
【補正対象書類名】明細書
【補正対象項目名】０００６
【補正方法】変更
【補正の内容】
【０００６】
【図１】本発明の実施形態による二方向性電気エネルギーインピーダンス分圧によるＬＥＤ一方向性駆動回路を示すブロック図である。
【図２】本発明の第１実施形態による二方向性電気エネルギーインピーダンス分圧によるＬＥＤ一方向性駆動回路の回路例を示す模式図である。
【図３】本発明の第２実施形態による二方向性電気エネルギーインピーダンス分圧によるＬＥＤ一方向性駆動回路の回路例を示す模式図である。
【図４】本発明の第３実施形態による二方向性電気エネルギーインピーダンス分圧によるＬＥＤ一方向性駆動回路の回路例を示す模式図である。
【図５】本発明の第３実施形態による二方向性電気エネルギーインピーダンス分圧によるＬＥＤ一方向性駆動回路の他の回路例を示す模式図である。
【図６】本発明の第４実施形態による二方向性電気エネルギーインピーダンス分圧によるＬＥＤ一方向性駆動回路の昇圧回路例を示すブロック図である。
【図７】本発明の第４実施形態による二方向性電気エネルギーインピーダンス分圧によるＬＥＤ一方向性駆動回路の降圧回路例を示すブロック図である。
【図８】本発明の第４実施形態による二方向性電気エネルギーインピーダンス分圧によるＬＥＤ一方向性駆動回路の他の回路例を示すブロック図である。
【図９】本発明の第５実施形態による二方向性電気エネルギーインピーダンス分圧によるＬＥＤ一方向性駆動回路の昇圧回路例を示すブロック図である。
【図１０】本発明の第５実施形態による二方向性電気エネルギーインピーダンス分圧によるＬＥＤ一方向性駆動回路の降圧回路例を示すブロック図である。
【図１１】本発明の第５実施形態による二方向性電気エネルギーインピーダンス分圧によるＬＥＤ一方向性駆動回路の他の回路例を示すブロック図である。
【手続補正３】
【補正対象書類名】明細書
【補正対象項目名】００４９
【補正方法】削除
【補正の内容】
【手続補正４】
【補正対象書類名】明細書
【補正対象項目名】００５０
【補正方法】削除
【補正の内容】
【手続補正５】
【補正対象書類名】明細書
【補正対象項目名】００５１
【補正方法】削除
【補正の内容】
【手続補正６】
【補正対象書類名】明細書
【補正対象項目名】００５２
【補正方法】削除
【補正の内容】
【手続補正７】
【補正対象書類名】明細書
【補正対象項目名】００５３
【補正方法】削除
【補正の内容】
【手続補正８】
【補正対象書類名】明細書
【補正対象項目名】００５４
【補正方法】削除
【補正の内容】
【手続補正９】
【補正対象書類名】明細書
【補正対象項目名】００５５
【補正方法】削除
【補正の内容】
【手続補正１０】
【補正対象書類名】明細書
【補正対象項目名】００５６
【補正方法】削除
【補正の内容】
【手続補正１１】
【補正対象書類名】明細書
【補正対象項目名】００５７
【補正方法】削除
【補正の内容】
【手続補正１２】
【補正対象書類名】明細書
【補正対象項目名】００５８
【補正方法】削除
【補正の内容】
【手続補正１３】
【補正対象書類名】明細書
【補正対象項目名】００５９
【補正方法】削除
【補正の内容】
【手続補正１４】
【補正対象書類名】明細書
【補正対象項目名】００６０
【補正方法】削除
【補正の内容】
【手続補正１５】
【補正対象書類名】明細書
【補正対象項目名】００６１
【補正方法】削除
【補正の内容】
【手続補正１６】
【補正対象書類名】明細書
【補正対象項目名】００６２
【補正方法】削除
【補正の内容】
【手続補正１７】
【補正対象書類名】明細書
【補正対象項目名】００６３
【補正方法】削除
【補正の内容】
【手続補正１８】
【補正対象書類名】明細書
【補正対象項目名】００６４
【補正方法】削除
【補正の内容】
【手続補正１９】
【補正対象書類名】明細書
【補正対象項目名】００６５
【補正方法】削除
【補正の内容】
【手続補正２０】
【補正対象書類名】明細書
【補正対象項目名】００６６
【補正方法】削除
【補正の内容】
【手続補正２１】
【補正対象書類名】明細書
【補正対象項目名】００６７
【補正方法】削除
【補正の内容】
【手続補正２２】
【補正対象書類名】明細書
【補正対象項目名】００６８
【補正方法】削除
【補正の内容】
【手続補正２３】
【補正対象書類名】明細書
【補正対象項目名】００６９
【補正方法】削除
【補正の内容】
【手続補正２４】
【補正対象書類名】明細書
【補正対象項目名】００７０
【補正方法】削除
【補正の内容】
【手続補正２５】
【補正対象書類名】明細書
【補正対象項目名】００７１
【補正方法】削除
【補正の内容】
【手続補正２６】
【補正対象書類名】明細書
【補正対象項目名】００７２
【補正方法】削除
【補正の内容】
【手続補正２７】
【補正対象書類名】明細書
【補正対象項目名】００７３
【補正方法】削除
【補正の内容】
【手続補正２８】
【補正対象書類名】明細書
【補正対象項目名】００７４
【補正方法】削除
【補正の内容】
【手続補正２９】
【補正対象書類名】明細書
【補正対象項目名】００７５
【補正方法】削除
【補正の内容】
【手続補正３０】
【補正対象書類名】明細書
【補正対象項目名】００７６
【補正方法】削除
【補正の内容】
【手続補正３１】
【補正対象書類名】明細書
【補正対象項目名】００７７
【補正方法】削除
【補正の内容】
【手続補正３２】
【補正対象書類名】明細書
【補正対象項目名】００７８
【補正方法】削除
【補正の内容】
【手続補正３３】
【補正対象書類名】明細書
【補正対象項目名】００７９
【補正方法】変更
【補正の内容】
【００７９】
（第４実施形態）
本発明の第４実施形態による二方向性電気エネルギーインピーダンス分圧によるＬＥＤ一方向性駆動回路において、第二インピーダンスＺ１０２の誘導性インピーダンスコンポネントＩ２００の選択は、更に誘導効果を持つ変圧器の電源巻線セットによって取り替えられることが可能である。変圧器は単巻変圧巻線を持つ単巻変圧器ＳＴ２００、或いは分離式変圧巻線を持つ変圧器ＩＴ２００に選択することが可能である。
【手続補正３４】
【補正対象書類名】明細書
【補正対象項目名】００８０
【補正方法】変更
【補正の内容】
【００８０】
図６は、本発明の第４実施形態による二方向性電気エネルギーインピーダンス分圧によるＬＥＤ一方向性駆動回路において、単巻変圧器の単巻変圧の電源巻線によって第二インピーダンスの誘導性インピーダンスコンポネントを取り替える昇圧回路例示す模式図である。
図６の単巻変圧器ＳＴ２００は、昇圧機能を持つ単巻変圧巻線Ｗ０を備え、単巻変圧器ＳＴ２００の単巻変圧巻線Ｗ０のｂ、ｃ端を電源側とし、第二インピーダンスＺ１０２の中の誘導性インピーダンスコンポネントＩ２００を取り替えることによって、第二インピーダンスＺ１０２を構成し、第一インピーダンスＺ１０１のコンデンサーＣ１００と直列接続した固有直列共振周波数は、電源からの二方向性電気エネルギー、例えば交流電気エネルギーの周波数、或いは直流電気エネルギーから転換される固定或いは可変電圧及び固定或いは可変交換極性周期の電気エネルギーの交換極性周期と同じで、かつ直列共振状態を形成する。単巻変圧器ＳＴ２００の単巻変圧巻線Ｗ０のａ、ｃ出力端から昇圧交流の電気エネルギーを出力し、整流装置ＢＲ１０１の交流入力端へ出力し、かつ整流装置ＢＲ１０１の直流出力端によって、一方向性導電発光ダイオードセットＬ１００を駆動する。
【手続補正３５】
【補正対象書類名】明細書
【補正対象項目名】００８１
【補正方法】変更
【補正の内容】
【００８１】
図７は、本発明の第４実施形態による二方向性電気エネルギーインピーダンス分圧によるＬＥＤ一方向性駆動回路において、単巻変圧器の単巻変圧の電源巻線によって第二インピーダンスの誘導性インピーダンスコンポネントを取り替える降圧回路例示す模式図を示す。
図７の単巻変圧器ＳＴ２００は、降圧機能を持つ単巻変圧巻線Ｗ０を備え、単巻変圧器ＳＴ２００の単巻変圧巻線Ｗ０のａ、ｃ端を電源側とし、第二インピーダンスＺ１０２の中の誘導性インピーダンスコンポネントＩ２００を取り替えることによって、第二インピーダンスＺ１０２を構成し、第一インピーダンスＺ１０１のコンデンサーＣ１００と直列接続した固有直列共振周波数は、電源からの二方向性電気エネルギー、例えば交流電気エネルギーの周波数、或いは直流電気エネルギーから転換される固定或いは可変電圧及び固定或いは可変交換極性周期の電気エネルギーの交換極性周期と同じで、かつ直列共振状態を形成する。単巻変圧器ＳＴ２００の単巻変圧巻線Ｗ０のｂ、ｃ出力端から降圧交流の電気エネルギーを出力し、整流装置ＢＲ１０１の交流入力端へ出力し、かつ整流装置ＢＲ１０１の直流出力端によって、一方向性導電発光ダイオードセットＬ１００を駆動する。
【手続補正３６】
【補正対象書類名】明細書
【補正対象項目名】００８２
【補正方法】変更
【補正の内容】
【００８２】
図８は、本発明の第４実施形態による二方向性電気エネルギーインピーダンス分圧によるＬＥＤ一方向性駆動回路において、分離式変圧巻線の分離式変圧器の一次巻線によって第二インピーダンスの誘導性インピーダンスコンポネントを取り替える回路例を示す模式図である。
図８に示す分離式変圧器ＩＴ２００は、一次巻線Ｗ１及び二次巻線Ｗ２によって構成される。一次巻線Ｗ１と二次巻線Ｗ２との二者が分離され、一次巻線Ｗ１によって第二インピーダンスＺ１０２を構成し、第一インピーダンスＺ１０１のコンデンサーＣ１００と直列接続した固有直列共振周波数は、電源からの二方向性電気エネルギー、例えば交流電気エネルギーの周波数或いは直流電気エネルギーから転換される固定或いは可変電圧及び固定或いは可変交換極性周期の電気エネルギーの交換極性周期と同じで、かつ直列共振状態を形成する。分離式変圧器ＩＴ２００の二次巻線Ｗ２の出力電圧は、必要に応じて昇圧或いは降圧の選択が可能で、二次巻線出力の交流電気エネルギーは、整流装置ＢＲ１０１の交流入力端へ出力し、整流装置ＢＲ１０１の直流出力端は、一方向性導電発光ダイオードセットＬ１００へ出力する。
【手続補正３７】
【補正対象書類名】明細書
【補正対象項目名】００８４
【補正方法】変更
【補正の内容】
【００８４】
（第５実施形態）
本発明の第５実施形態による二方向性電気エネルギーインピーダンス分圧によるＬＥＤ一方向性駆動回路は、第二インピーダンスＺ１０２として誘導性インピーダンスコンポネントＩ２００を選択するときは、誘導効果を持つ変圧器の電源巻線によって取り替え、またコンデンサーＣ２００と並列接続する並列共振によって、第二インピーダンスＺ０１２を構成し、変圧器は単巻変圧巻線を持つ単巻変圧器ＳＴ２００或いは分離式変圧巻線の変圧器ＩＴ２００を持つものを選択することが可能である。
【手続補正３８】
【補正対象書類名】明細書
【補正対象項目名】００８５
【補正方法】変更
【補正の内容】
【００８５】
図９は、本発明の第５実施形態による二方向性電気エネルギーインピーダンス分圧によるＬＥＤ一方向性駆動回路において、単巻変圧器の単巻変圧の電源巻線とコンデンサーを並列接続し、並列共振を形成する昇圧回路例を示す模式図である。
図９の単巻変圧器ＳＴ２００は、昇圧機能を持つ単巻変圧巻線Ｗ０を備える。単巻変圧器ＳＴ２００の単巻変圧巻線Ｗ０のｂ、ｃ端を電源側とし、第二インピーダンスＺ１０２の中の誘導性インピーダンスコンポネントＩ２００を取り替えることによって、コンデンサーＣ２００と並列に接続し、並列接続後の固有並列共振周波数は、電源からの二方向性電気エネルギー、例えば交流電気エネルギーの周波数、或いは直流電気エネルギーから転換される固定或いは可変電圧及び固定或いは可変交換極性周期の電気エネルギーの交換極性周期と同じで、かつ並列共振状態を形成することによって、第二インピーダンスＺ１０２を構成し、第一インピーダンスＺ１０１を構成するコンデンサーＣ１００と直列に接続する。コンデンサーＣ２００は単巻変圧器ＳＴ２００のタップ（ＴＡＰ）のａ、ｃ間或いはｂ、ｃ間或いは必要に応じてほかのタップ間での並列接続の選択が可能で、単巻変圧器ＳＴ２００の単巻変圧巻線Ｗ０のａ、ｃ出力端から昇圧交流の電気エネルギーを出力し、整流装置ＢＲ１０１の交流入力端へ出力し、かつ整流装置ＢＲ１０１の直流出力端によって、一方向性導電発光ダイオードセットＬ１００を駆動する。
【手続補正３９】
【補正対象書類名】明細書
【補正対象項目名】００８６
【補正方法】変更
【補正の内容】
【００８６】
図１０は、本発明の第５実施形態による二方向性電気エネルギーインピーダンス分圧によるＬＥＤ一方向性駆動回路において、単巻変圧器の単巻変圧の電源巻線とコンデンサーを並列接続し、並列共振を形成する降圧回路例を示す模式図である。
図１０の単巻変圧器ＳＴ２００は、降圧機能を持つ単巻変圧巻線Ｗ０を備える。単巻変圧器ＳＴ２００の単巻変圧巻線Ｗ０のａ、ｃ端を電源側とし、第二インピーダンスＺ１０２の中の誘導性インピーダンスコンポネントＩ２００を取り替えることによって、コンデンサーＣ２００と並列に接続し、並列接続後の固有並列共振周波数は、電源からの二方向性電気エネルギー、例えば交流電気エネルギーの周波数、或いは直流電気エネルギーから転換される固定或いは可変電圧及び固定或いは可変交換極性周期の電気エネルギーの交換極性周期と同じで、かつ並列共振状態を形成することによって、第二インピーダンスＺ１０２を構成し、第一インピーダンスＺ１０１を構成するコンデンサーＣ１００と直列に接続する。コンデンサーＣ２００は、単巻変圧器ＳＴ２００のタップのａ、ｃ間或いはｂ、ｃ間或いは必要に応じてほかのタップ間での並列接続の選択が可能で、単巻変圧器ＳＴ２００の単巻変圧巻線Ｗ０のｂ、ｃ出力端から降圧交流の電気エネルギーを出力し、整流装置ＢＲ１０１の交流入力端へ出力し、かつ整流装置ＢＲ１０１の直流出力端によって、一方向性導電発光ダイオードセットＬ１００を駆動する。
【手続補正４０】
【補正対象書類名】明細書
【補正対象項目名】００８７
【補正方法】変更
【補正の内容】
【００８７】
図１１は、本発明第５実施形態による二方向性電気エネルギーインピーダンス分圧によるＬＥＤ一方向性駆動回路において、分離式変圧巻線の分離式変圧器を持つ一次巻線とコンデンサーを並列接続し、並列共振を形成する回路例を示す模式図である。
図１１の中にある分離式変圧器ＩＴ２００は一次巻線Ｗ１及び二次巻線Ｗ２によって構成される。一次巻線Ｗ１と二次巻線Ｗ２との二者が分離され、その一次巻線Ｗ１はコンデンサーＣ２００と並列に接続し、並列接続後の固有並列共振周波数は、電源からの二方向性電気エネルギー、例えば交流電気エネルギーの周波数、或いは直流電気エネルギーから転換される固定或いは可変電圧及び固定或いは可変交換極性周期の電気エネルギーの交換極性周期と同じで、かつ並列共振状態を形成することによって、第二インピーダンスＺ１０２を構成してから、第一インピーダンスＺ１０１を構成するコンデンサーＣ１００と直列に接続し、コンデンサーＣ２００は単巻変圧器ＳＴ２００のタップのａ、ｃ間或いはｂ、ｃ間或いは必要に応じてほかのタップ間での並列接続の選択が可能である。分離式変圧器ＩＴ２００の二次巻線Ｗ２の出力電圧は、必要に応じて昇圧或いは降圧の選択が可能で、二次巻線出力の交流電気エネルギーは、整流装置ＢＲ１０１の交流入力端へ出力し、整流装置ＢＲ１０１の直流出力端は、一方向性導電発光ダイオードセットＬ１００へ出力する。
【手続補正４１】
【補正対象書類名】明細書
【補正対象項目名】００９１
【補正方法】変更
【補正の内容】
【００９１】
ＢＲ１０１：整流装置、Ｃ１００、Ｃ１０２、Ｃ２００：コンデンサー、ＣＲ２０１：ダイオード、ＥＳＤ１０１：充放電可能装置、Ｉ１０３、Ｉ２００：誘導性インピーダンスコンポネント、ＩＴ２００：分離式変圧器、Ｌ１００：一方向性導電発光ダイオードセット、ＬＥＤ１０１：発光ダイオード、Ｒ１０１、Ｒ１０２：放電抵抗、Ｒ１０３：限流抵抗、ＳＴ２００：単巻変圧器、Ｕ１００：ＬＥＤ一方向性駆動回路、Ｗ０：単巻変圧巻線、Ｗ１：一次巻線、Ｗ２：二次巻線、Ｚ１０１：第一インピーダンス、Ｚ１０２：第二インピーダンス、ＺＤ１０１：ツェナーダイオード
【手続補正４２】
【補正対象書類名】図面
【補正対象項目名】図６
【補正方法】変更
【補正の内容】
【図６】
2009170918.tif 000001
【手続補正４３】
【補正対象書類名】図面
【補正対象項目名】図７
【補正方法】変更
【補正の内容】
【図７】
2009170918.tif 000002
【手続補正４４】
【補正対象書類名】図面
【補正対象項目名】図８
【補正方法】変更
【補正の内容】
【図８】
2009170918.tif 000003
【手続補正４５】
【補正対象書類名】図面
【補正対象項目名】図９
【補正方法】変更
【補正の内容】
【図９】
2009170918.tif 000004
【手続補正４６】
【補正対象書類名】図面
【補正対象項目名】図１０
【補正方法】変更
【補正の内容】
【図１０】
2009170918.tif 000005
【手続補正４７】
【補正対象書類名】図面
【補正対象項目名】図１１
【補正方法】変更
【補正の内容】
【図１１】
2009170918.tif 000006
【手続補正４８】
【補正対象書類名】図面
【補正対象項目名】図１２
【補正方法】削除
【補正の内容】
【手続補正４９】
【補正対象書類名】図面
【補正対象項目名】図１３
【補正方法】削除
【補正の内容】
【手続補正５０】
【補正対象書類名】図面
【補正対象項目名】図１４
【補正方法】削除
【補正の内容】
【手続補正５１】
【補正対象書類名】図面
【補正対象項目名】図１５
【補正方法】削除
【補正の内容】
【手続補正５２】
【補正対象書類名】図面
【補正対象項目名】図１６
【補正方法】削除
【補正の内容】
【手続補正５３】
【補正対象書類名】図面
【補正対象項目名】図１７
【補正方法】削除
【補正の内容】
【手続補正５４】
【補正対象書類名】図面
【補正対象項目名】図１８
【補正方法】削除
【補正の内容】